(57)【特許請求の範囲】
【請求項１】
キッチンキャビネットの上方開口部から下方に挿入されて、前面部を前記キッチンキャビネットの前面開口に臨ませた状態に組み付けられる調理器本体における前記前面部の横端部側部分に、上方側操作部と下方側操作部とが上下方向に並設され、
前記下方側操作部が、前記調理器本体の内方に引退させた引退位置と前記調理器本体の前方に突出させた突出位置とに出退自在に構成され、
前記上方側操作部の前面を覆う上側操作部カバー及び前記下方側操作部の前面を覆う下側操作部カバーが、前記調理器本体の横端部と前記前面開口の横端部との間の隙間を覆うべく前記調理器本体の横外方に張り出す状態で設けられ、
前記上方側操作部を覆う状態に前記上側操作部カバーを固定する固定手段が、固定状態と固定解除状態とに切換え自在に設けられた加熱調理器であって、
前記固定手段が、前記上側操作部カバーにおける前記調理器本体の横外方に張り出す上側張出部分の背部箇所に位置する操作部にて、少なくとも前記固定状態から前記固定解除状態に操作されるように構成されており、
前記操作部が、調理器前方側への移動操作により、前記固定手段を前記固定状態から前記固定解除状態に切換えるように構成され、
前記固定手段が、調理器左右方向において前記上方側操作部の調理器内方側端部に設けた内方側係止部、及び、調理器左右方向において前記上方側操作部の調理器外方側端部に設けた外方側係止部と、前記上側操作部カバーにおける調理器内方側端部に設けられて、前記内方側係止部に調理器前方側への移動不能に係止される内方側被係止部、及び、前記上側操作部カバーにおける調理器外方側箇所に設けられて、前記外方側係止部に調理器前方側への移動不能に係止される外方側被係止部とから構成され、
前記外方側被係止部が、前記内方側被係止部を前記内方側係止部に係止させた状態で前記上側操作部カバーを前記上方側操作部に対して接近移動させるに伴って、前記外方側係止部との接当により係止解除状態側に後退移動しかつ前記外方側係止部の存在箇所を通過すると前記外方側係止部に係止される係止状態に弾性復帰する弾性係止式に構成され、
前記操作部が、前記外方側被係止部を前記係止解除状態側に操作するように構成され、
前記操作部が、前記外方側係止部に連設され、
前記上側操作部カバーが、前記内方側被係止部、前記外方側被係止部、及び、前記操作部を備える形態に、合成樹脂にて一体成型されており、
前記操作部を構成する操作用板部分が、弾性変形自在な上下一対の脚部にて、前記上側操作部カバーに接続され、
前記外方側被係止部が、前記操作用板部分における上下の前記脚部の間に相当する箇所に設けられている加熱調理器。 
【発明の詳細な説明】
【技術分野】
【０００１】
本発明は、キッチンキャビネットの上方開口部から下方に挿入されて、前面部を前記キッチンキャビネットの前面開口に臨ませた状態に組み付けられる調理器本体における前記前面部の横端部側部分に、上方側操作部と下方側操作部とが上下方向に並設され、
前記下方側操作部が、前記調理器本体の内方に引退させた引退位置と前記調理器本体の前方に突出させた突出位置とに出退自在に構成され、
前記上方側操作部の前面を覆う上側操作部カバー及び前記下方側操作部の前面を覆う下側操作部カバーが、前記調理器本体の横端部と前記前面開口の横端部との間の隙間を覆うべく前記調理器本体の横外方に張り出す状態で設けられ、
前記上方側操作部を覆う状態に前記上側操作部カバーを固定する固定手段が、固定状態と固定解除状態とに切換え自在に設けられた加熱調理器に関する。
【背景技術】
【０００２】
かかる加熱調理器は、下方側操作部を使用しないときには、調理器本体の内方に引退させた引退位置に位置させておくことにより、加熱調理器の外観を美麗にし、しかも、下方側操作部がキッチンキャビネットの前方箇所にて調理作業を行う作業者の邪魔になることを回避できるものであり、また、下方側操作部を使用するときには、調理器本体の前方に突出させた突出位置に位置させることにより、下方側操作部に対する操作を良好に行えることになる。
【０００３】
また、上方側操作部の前面を覆う上側操作部カバー及び下方側操作部の前面を覆う下側操作部カバーが、調理器本体の横端部と前面開口の横端部との間の隙間を覆うべく調理器本体の横外方に張り出す状態で設けられているから、上側操作部カバー及び下側操作部カバーによって、調理器本体の横端部と前面開口の横端部との間の隙間を覆うことができるため、キッチンキャビネットに設置された加熱調理器の外観を一層美麗にすることができる。
【０００４】
ちなみに、一般に、調理器本体の横端部と前面開口の横端部との間の隙間には、その隙間を埋める隙間挿入部材が配設されることになるため、上側操作部カバーや下側操作部カバーは、隙間挿入部材の前方側箇所を覆うことになる。
【０００５】
また、上方側操作部を覆う状態に上側操作部カバーを固定する固定手段が、固定状態と固定解除状態とに切換え自在に設けられているから、固定手段を固定状態と固定解除状態とに切換えながら、上側操作部カバーを着脱することによって、上方側操作部に装備した機器類の点検作業を良好に行えることになる。
【０００６】
ちなみに、このように上側操作部カバーを着脱することできるものであるから、調理器本体をキッチンキャビネットに装着する際には、上側操作部カバーを外しておき、調理器本体をキッチンキャビネットに装着した後に、上側操作部カバーを装着するようにすることにより、調理器本体をキッチンキャビネットに装着する作業が行い易いばかりでなく、上側操作部カバーの損傷を抑制できるものとなる。
【０００７】
尚、一般に、下側操作部カバーも着脱できるように構成されて、調理器本体をキッチンキャビネットに装着する際には、下側操作部カバーを外しておき、調理器本体をキッチンキャビネットに装着した後に、下側操作部カバーを装着するようして、調理器本体をキッチンキャビネットに装着する作業を行い易くし、また、下側操作部カバーの損傷を抑制することになる。
【０００８】
このような加熱調理器の従来例として、固定手段を固定状態と固定解除状態とに切換える操作部としての操作部が、上側操作部カバーの下方側に突出する状態で設けられて、引退位置にある下側操作部カバーにおける調理器本体の横外方に張り出す下側張出部分にて覆われるようにしたものがある（例えば、特許文献１参照。）。
【０００９】
つまり、特許文献１においては、固定手段を固定状態と固定解除状態とに切換える操作部としての操作部が、引退位置にある下側操作部カバーにおける調理器本体の横外方に張り出す下側張出部分の背部箇所に配置されて、引退位置にある下側操作部カバーにおける下側張出部分にて覆われるようになっている。
【先行技術文献】
【特許文献】
【００１０】
【特許文献１】特開２０１４―３５１２３号公報
【発明の概要】
【発明が解決しようとする課題】
【００１１】
従来の加熱調理器においては、下方側操作部を操作するために、下方側操作部を突出位置に位置させたときに、固定手段の操作部が露出するため、使用者が興味半分で操作部を操作する等、使用者が誤操作する虞があり、改善が望まれるものであった。
【００１２】
ちなみ、固定手段の操作部が誤操作されても、上側操作部カバーが外れるだけであり、機器の損傷等には至らないものであるが、上側操作部カバーが外れると、上部操作カバーの装着手順を知らない使用者は、機器設置業者等にメンテナンスコールを行うことになるため、上部操作カバーが不必要に外れないようにすることが望まれるものとなる。
【００１３】
本発明は、上記実状に鑑みて為されたものであって、その目的は、固定手段の操作部が誤操作されることを抑制できる加熱調理器を提供する点にある。
【課題を解決するための手段】
【００１４】
本発明の加熱調理器は、キッチンキャビネットの上方開口部から下方に挿入されて、前面部を前記キッチンキャビネットの前面開口に臨ませた状態に組み付けられる調理器本体における前記前面部の横端部側部分に、上方側操作部と下方側操作部とが上下方向に並設され、
前記下方側操作部が、前記調理器本体の内方に引退させた引退位置と前記調理器本体の前方に突出させた突出位置とに出退自在に構成され、
前記上方側操作部の前面を覆う上側操作部カバー及び前記下方側操作部の前面を覆う下側操作部カバーが、前記調理器本体の横端部と前記前面開口の横端部との間の隙間を覆うべく前記調理器本体の横外方に張り出す状態で設けられ、
前記上方側操作部を覆う状態に前記上側操作部カバーを固定する固定手段が、固定状態と固定解除状態とに切換え自在に設けられたものであって、その第１特徴構成は、
前記固定手段が、前記上側操作部カバーにおける前記調理器本体の横外方に張り出す上側張出部分の背部箇所に位置する操作部にて、少なくとも前記固定状態から前記固定解除状態に操作されるように構成されており、
前記操作部が、調理器前方側への移動操作により、前記固定手段を前記固定状態から前記固定解除状態に切換えるように構成され、
前記固定手段が、調理器左右方向において前記上方側操作部の調理器内方側端部に設けた内方側係止部、及び、調理器左右方向において前記上方側操作部の調理器外方側端部に設けた外方側係止部と、前記上側操作部カバーにおける調理器内方側端部に設けられて、前記内方側係止部に調理器前方側への移動不能に係止される内方側被係止部、及び、前記上側操作部カバーにおける調理器外方側箇所に設けられて、前記外方側係止部に調理器前方側への移動不能に係止される外方側被係止部とから構成され、
前記外方側被係止部が、前記内方側被係止部を前記内方側係止部に係止させた状態で前記上側操作部カバーを前記上方側操作部に対して接近移動させるに伴って、前記外方側係止部との接当により係止解除状態側に後退移動しかつ前記外方側係止部の存在箇所を通過すると前記外方側係止部に係止される係止状態に弾性復帰する弾性係止式に構成され、
前記操作部が、前記外方側被係止部を前記係止解除状態側に操作するように構成され、
前記操作部が、前記外方側係止部に連設され、
前記上側操作部カバーが、前記内方側被係止部、前記外方側被係止部、及び、前記操作部を備える形態に、合成樹脂にて一体成型されており、
前記操作部を構成する操作用板部分が、弾性変形自在な上下一対の脚部にて、前記上側操作部カバーに接続され、
前記外方側被係止部が、前記操作用板部分における上下の前記脚部の間に相当する箇所に設けられている点にある。 
【００１５】
すなわち、固定手段の操作部が、上側操作部カバーにおける調理器本体の横外方に張り出す上側張出部分の背部箇所に位置することになるから、固定手段の操作部が使用者から見え難いものなるため、使用者が固定手段の操作部を誤操作することを抑制できる。
【００１６】
ちなみに、メンテナンス等を行う作業員は、固定手段の操作部が上側操作部カバーにおける上側張出部分の背部箇所に位置することを熟知しているので、固定手段の操作部を操作しながら上側操作部カバーを取り外して、上方側操作部のメンテナンス等の作業を適正通り行うことができる。
【００１７】
要するに、本発明の第１特徴構成によれば、固定手段の操作部が誤操作されることを抑制できる加熱調理器を提供できる。
【００１９】
また、上側操作部カバーの上側張出部分の背部箇所に位置する固定手段の操作部を操作する形態としては、下方側操作部を突出位置に突出させた状態で、上側操作部カバーの上側張出部分の下方箇所から、上側張出部分の背部箇所に手指を挿入して、操作部を操作する形態が考えられる。 
【００２０】
そして、上側張出部分の背部箇所に手指を挿入した形態とは、手の平を調理器前方側に向けた状態で手指を挿入する形態となり、この形態においては、人差し指や中指等の指を調理器前方側に移動させ易い状態となから、人差し指や中指等の指を用いて、固定手段の操作部を調理器前方側へ容易に操作できることになる。
【００２１】
つまり、固定手段を固定状態から固定解除状態に切換えるために、操作部を調理器前方側へ移動操作することを、上側張出部分の背部箇所に手指を挿入した状態において、人差し指や中指等の指を用いて良好に行うことができるのである。
【００２２】
要するに、本発明の第１特徴構成によれば、固定手段の操作部に対する操作を良好に行うことができる加熱調理器を提供できる。 
【００２４】
また、固定手段が、内方側係止部にて内方側被係止部を係止し、かつ、外方側係止部にて外方側被係止部を係止することにより、上側操作部カバーを上方側操作部に固定する固定状態となるように構成されている。 
【００２５】
そして、外方側被係止部が弾性係止式に構成されて、内方側被係止部を内方側係止部に係止させた状態で上側操作部カバーを上方側操作部に対して接近移動させることによって、外方側被係止部を外方側係止部にて係止される状態にすることができるから、上方側操作部カバーを上方側操作部に装着する作業を、内方側被係止部を内方側係止部に係止させた状態で上側操作部カバーを上方側操作部に対して接近移動させるという簡単な操作で行うことができる。
【００２６】
また、操作部によって、外方側被係止部を係止解除状態に操作することにより、外方側係止部による外方側被係止部に対する係止を解除し、その解除状態で上方側操作部カバーを移動操作して、内方側係止部による内方側被係止部に対する係止を解除することによって、固定手段を固定解除状態にしながら、上方側操作部カバーを容易に取り外すことができる。
【００２７】
要するに、本発明の第１特徴構成によれば、上方側操作部カバーの着脱を容易に行うことができる加熱調理器を提供できる。 
【００２９】
また、操作部を外方側係止部に連設される形態として、上側操作部カバーを、内方側被係止部、外方側被係止部、及び、操作部を備える形態に、合成樹脂にて一体成型するものであるから、固定手段を構成する内方側被係止部、外方側被係止部及び操作部を、上側操作部カバーと一体成型するため、固定手段の簡素化を図ることができる。 
【００３０】
要するに、本発明の第１特徴構成によれば、固定手段の簡素化を図ることができる加熱調理器を提供できる。 
【００３２】
また、操作部を構成する操作用板部分が、弾性変形自在な上下一対の脚部にて、上側操作部カバーに接続されているから、操作部を構成する操作用板部分を、上下一対の脚部を弾性変形させながら、調理器前後方向に弾性変位させることができる。
また、上下一対の脚部が、それらが一体となる板状に形成されるに較べて、弾性変形し易いものとなるため、操作部を構成する操作用板部分を、調理器前後方向に良好に弾性変位させることができる。 
【００３３】
そして、操作部を構成する操作用板部分が、調理器前後方向に良好に弾性変位させることを利用して、外方側被係止部が、操作用板部分に設けられているから、外方側被係止部を係止状態と係止解除状態とに適切に弾性変位させることができる。
しかも、外方側被係止部が、操作用板部分における上下の脚部の間に相当する箇所に設けられているから、外方側被係止部を上下一対の脚部によって、適切に弾性支持できるため、外方側被係止部を外方側係止部との接当により係止解除状態側に後退移動させることや、外方側係止部の存在箇所を通過した外方側被係止部を係止状態に弾性復帰させることを良好に行えることになる。
【００３４】
要するに、本発明の第１特徴構成によれば、外方側被係止部を外方側係止部に対して弾性力にて係止させることや、操作部によって外方側被係止部を外方側係止部から離脱させることを良好に行える加熱調理器を提供できる。
【図面の簡単な説明】
【００３５】
【図１】ガスコンロの斜視図
【図２】ガスコンロの斜視図
【図３】グリルの縦断側面図
【図４】グリル用操作部の縦断側面図
【図５】グリル用操作部の縦断側面図
【図６】グリル用操作部の分解斜視図
【図７】出退式操作枠の斜視図
【図８】上側操作部カバーの装着部を示す横断平面図
【図９】外方側被係止部が外方側係止部に係止された状態を示す横断平面図
【図１０】外方側被係止部が外方側係止部から外れた状態を示す横断平面図
【図１１】上側操作部カバーの背面図
【図１２】内方側係止部に内方側被係止部が係止された状態の斜視図
【図１３】外方側係止部に外方側被係止部が係止された状態の斜視図
【図１４】ガスコンロをキッチンキャビネットに装着する状態を示す斜視図
【図１５】ガスコンロをキッチンキャビネットに装着した状態を示す斜視図
【発明を実施するための形態】
【００３６】
〔実施形態〕
以下、本発明の実施形態を図面に基づいて説明する。
【００３７】
（ガスコンロの全体構成）
図１及び図２に示すように、調理器本体Ｈの上面部に、左右一対のコンロバーナ１を備え、調理器本体Ｈの内部にグリルＧ（図３参照）を備える加熱調理器の一例としてのガスコンロＧＣが構成されている。
このガスコンロＧＣは、図１４及び図１５に示すように、キッチンキャビネットＣＮのカウンタ部に形成したコンロ装着口Ｃ１から下方に向けて挿入して、前面部をキッチンキャビネットＣＮの前面開口Ｃ２に臨ませる状態に組付ける、いわゆるビルトインタイプとして構成されるものであって、調理器本体Ｈの上部の周縁部には、キッチンキャビネットＣＮのカウンタ部に載置する鍔部が形成されている。
【００３８】
ちなみに、調理器本体Ｈの両横側壁夫々の前方側箇所には、調理器本体Ｈの横端部と前面開口Ｃ２の横端部との間の隙間を塞ぐ左右一対の隙間挿入部材Ｐが装着されている（図１参照）。
尚、隙間挿入部材Ｐは、ＡＢＳ樹脂又はＰＢＴ樹脂等の樹脂材料を射出成型して、柱状に形成されている。
【００３９】
調理器本体Ｈの上部には、ガラス製の天板２が装備され、そして、天板２の後部側箇所には、グリルＧの調理排気を排出するためのグリル排気口３が形成されている。
また、天板２の上部には、コンロバーナ１にて加熱される鍋等の被加熱物を載置するための五徳４が、左右のコンロバーナ１の夫々に対応して設けられている。
尚、コンロバーナ１の中央部には、図１に示すように、鍋等の被加熱物の存在及び被加熱物の底壁温度を検出するコンロバーナセンサ１Ａが設けられている。
【００４０】
調理器本体Ｈの上部に装備した天板２の手前側箇所には、左右のコンロバーナ１の夫々に対する左右一対のコンロ用操作具５が、上方に離脱自在に設けられている。
ちなみに、一対のコンロ用操作具５の夫々は、前後や左右のスライド操作及び左右の回転操作により、点火及び消火の指令、目標火力の指令、目標温度に維持する自動温度調理の指令等、各種の指令情報を指令するように構成されている。
【００４１】
調理器本体Ｈの前面部におけるグリルＧの右側箇所、つまり、前面部の右横端部側部分には、グリルＧに対するグリル用操作部６が設けられている。
このグリル用操作部６は、合成樹脂製の操作部装着枠Ｂ（図６参照）に組付けられるものであって、上方側操作部６Ｕと、下方側を支点にした前後揺動により開閉自在な下方側操作部６Ｓとを上下に並べて備えている。
ちなみに、図１には、下方側操作部６Ｓの閉じ状態が示され、図２には、下方側操作部６Ｓの開き状態が示されている。
尚、上方側操作部６Ｕ及び下方側操作部６Ｓの詳細は後述する。
【００４２】
（グリルの構成）
図３に示すように、グリルＧには、前部及び背部が開口する筒状に形成されたグリル庫７が備えられ、被調理物を加熱調理するための調理容器Ｋを支持し且つグリル扉８（図１参照）を前端部に備えた調理容器支持部Ｌが、グリル庫７に対して出退自在に設けられている。
ちなみに、本実施形態においては、調理容器Ｋとして、グリル皿９を装備する場合を例示する。
【００４３】
グリル庫７の底部には、下バーナ１０が装備され、また、グリル庫７の天井部には、上バーナ１１が装備されている。つまり、本実施形態においては、加熱調理用のグリルバーナＡとして、下バーナ１０と上バーナ１１とが設けられている。
グリル庫７の後部には、燃焼ガスや加熱される被調理物から排出されるガス類等からなる調理排気をグリル排気口３に導く排気通路Ｅを形成する排気通路形成部Ｄが設けられている。
【００４４】
下バーナ１０は、図３示すように、円筒状のバーナ本体部１０Ａと、そのバーナ本体部１０Ａに接続される混合管部１０Ｂとを備え、バーナ本体部１０Ａには、周方向に沿って炎孔Ｆが形成されている。つまり、下バーナ１０は、炎孔Ｆを環状に備える形態に構成されている。
【００４５】
そして、下バーナ１０は、燃料ガスが噴出ノズル１２から混合管部１０Ｂの端部に噴出供給される際に、一次空気がエジェクタ作用によって混合管部１０Ｂの内部に供給されることにより、一次空気と燃料ガスとの混合ガスを上述の炎孔Ｆに供給して一次燃焼させ、かつ、グリル庫７の底部等に形成した空気孔（図示せず）等からグリル庫７の内部に取り入れられた外気を二次空気として用いて二次燃焼させる、いわゆるブンゼン式バーナとして構成されている。
【００４６】
このような構成の下バーナ１０は、コンロバーナ１の構成と同様であり、コンロバーナ１を転用して構成されている。
ちなみに、下バーナ１０の内部には、グリル皿９の底壁温度を検出する容器温度検出センサ１３が装備されている。この容器温度検出センサ１３の検出情報は、運転制御部（図示せず）に入力される。
【００４７】
上バーナ１１は、下向きの平板状の火炎を形成する輻射式バーナとして構成され、そして、下バーナ１０と同様に、ガス燃料が噴出状態で供給される際に取入れる一次空気、及び、グリル庫７に取入れられた外気を二次空気として用いて燃焼するものであるが、本実施形態においては、上バーナ１１の詳細な説明は省略する。
【００４８】
尚、詳細な説明は省略するが、下バーナ１０及び上バーナ１１の夫々に対して、点火装置としての点火プラグ、及び、着火状態検出装置として、熱電対等を用いて構成される着火センサが装備され、コンロバーナ１についても、同様に、点火プラグ及び着火センサが装備されている。
【００４９】
図３に示すように、グリル庫７の底壁の上部に、下側バーナ１３ｂ及び容器温度検出センサ１３が装着された下バーナ支持板１４が設けられ、その下バーナ支持板１４の上部に、調理容器Ｋから溢れ出た汁類等の液状物を回収するカバー体１５が、グリル庫７の底部を全面的に覆う状態で設けられている。
【００５０】
カバー体１５は、上面視の形状が略長方形状で、長手方向及び短手方向の寸法が、グリル庫７の内部の前後幅方向及び横幅方向の寸法と略一致するように形成されている。
そして、下バーナ１０の円筒状のバーナ本体部１０Ａが、カバー体１５の中央部を上方に突出する状態で設けられている。
【００５１】
（グリル用操作部）
図６に示すように、上述した操作部装着枠Ｂの下部には、下方側操作部６Ｓを出退自在に収納する角筒状の下方側形成部ＢＳが形成され、操作部装着枠Ｂの上部には、上方側操作部６Ｕを構成するための上方側形成部ＢＵが形成されている。
上方側形成部ＢＵは、横長帯状の前面部１６Ｆとその前面部１６Ｆから後方に伸びる筒状部１６Ｒとを備える形態に構成されている。
【００５２】
上方側操作部６Ｕには、図１及び図６に示すように、グリルＧの運転開始及び運転停止を指令する照光式の運転スイッチ１７が、上方側形成部ＢＵに装着する形態で装備されている。
ちなみに、図８に示すように、照光式の運転スイッチ１７を備える装着用基板１７Ｋが、上方側形成部ＢＵにおける筒状部１６Ｒの内部箇所に位置させる状態で、前面部１６Ｆの背部にビスにて固定される形態で装着されている。
【００５３】
下方側操作部６Ｓの上部には、図４及び図５に示すように、操作パネルフレームＭＦの背部に電装基板ＭＫを装備した運転操作指令部Ｍが設けられている。
運転操作指令部Ｍは、複数の指令スイッチを備えて、それらの複数の指令スイッチの操作により、グリルバーナＡに対する点火及び消火の指令、目標火力の指令、目標温度に維持する自動温度調理の指令等、各種の指令情報を指令するように構成されている。
【００５４】
つまり、グリルＧは、運転スイッチ１７にて運転開始を指令した状態において、下方側操作部６Ｓの運転操作指令部Ｍにて、各種の情報を指令することにより、運転制御部がグリルバーナＡの燃焼作動を制御して、加熱調理を行えるように構成されている。
そして、運転スイッチ１７にて運転停止を指令した状態においては、運転操作指令部Ｍにて各種の情報が指令されても、運転制御部がグリルバーナＡを燃焼停止状態に維持するように構成されている。
【００５５】
図７に示すように、下方側操作部６Ｓが、運転操作指令部Ｍの左右両端から下方に向けて下方側ほど前後幅が狭くなる形態で伸びる左右一対の側板部１８ｓ、及び、左右の側板部１８ｓの前縁部を接続する前板部１８ｆを備える出退式操作枠１８を用いて構成されることになり、この出退式操作枠１８の上部に、後述の如く、運転操作指令部Ｍが装着される。
【００５６】
出退式操作枠１８が、左右一対の側板部１８ｓの下端側部分を中心とした前後揺動により、調理器本体Ｈの内方に引退する引退位置（図４参照）と調理器本体Ｈの前方に突出する突出位置（図５参照）とに切換え操作自在に構成されている。
具体的には、図６に示すように、操作部装着枠Ｂの下端部に、枢支軸１９が横倒れ姿勢で設けられ、左右の側板部１８ｓの下端部が、枢支軸１９に回動自在に枢支されている。
尚、出退式操作枠１８が引退位置に位置する状態が、下方側操作部６Ｓの閉じ状態（図１参照）に相当し、出退式操作枠１８が突出位置に位置する状態が、下方側操作部６Ｓの開き状態（図２参照）に相当することになる。
【００５７】
図７に示すように、出退式操作枠１８の上部の調理器後方側の端部には、出退式操作枠１８の調理器前方側への揺動範囲を規制する揺動範囲規制用突起１８Ｔが、上方に突出する状態で設けられている。
そして、この揺動範囲規制用突起１８Ｔが、図５に示すように、出退式操作枠１８を突出位置に揺動させたときに、操作部装着枠Ｂの接当部Ｂｔに接当して、出退式操作枠１８を突出位置に位置決めするように構成されている。
【００５８】
図６に示すように、出退式操作枠１８を突出位置に復帰付勢する弾性付勢手段としてのつる巻式のスプリング２０が設けられている。
また、図４及び図５に示すように、操作部装着枠Ｂには、出退式操作枠１８の前板部１８ｆの背部に設けた保持用突起２１を保持する操作枠保持機構Ｑが設けられている。
【００５９】
操作枠保持機構Ｑは、出退式操作枠１８が引退位置に位置するときに保持用突起２１を保持する保持状態となるものであって、引退位置の出退式操作枠１８を後方側に押し移動することにより保持を解除する解除状態となり、そして、突出位置の出退式操作枠１８を引退位置に押し移動することによって、保持用突起２１を保持する保持状態となるものであるが、操作枠保持機構Ｑの具体構成は周知であるので、本実施形態においては、操作枠保持機構Ｑの詳細な説明は省略する。
【００６０】
尚、操作部装着枠Ｂの下方側形成部ＢＳには、図４及び図５に示すように、電池収納ボックスＢＤが設けられている。そして、出退式操作枠１８の前板部１８ｆには、図６及び図７に示すように、電池収納ボックスＢＤに対応して、電池交換用口１８Ｄが形成されている。
【００６１】
（カバー構成）
図１及び図２に示すように、上方側操作部６Ｕには、前面を覆う帯板状の上側操作部カバー２２が着脱自在に装備され、下方側操作部６Ｓには、前面を覆う四角板状の下側操作部カバー２３が着脱自在に装備されている。
【００６２】
尚、上側操作部カバー２２は、図８に示すように、合成樹脂製の本体部２２Ｈの前面に化粧用フィルム２２Ｆを貼着する形態に構成されるものであって、本体部２２Ｈには、照光式の運転スイッチ１７等を露出するための孔が形成され、化粧用フィルム２２Ｆには、照光式の運転スイッチ１７からの照射光を透過する透明部分を備えるように構成されている。
【００６３】
上側操作部カバー２２及び下側操作部カバー２３が、調理器本体Ｈの横端部とキッチンキャビネットＣＮの前面開口Ｃ２の横端部との間の隙間を覆うべく調理器本体Ｈの横外方に張り出す状態で設けられている。
すなわち、図６に示すように、上側操作部カバー２２には、調理器本体Ｈの横外方に張り出す上側張出部分２２Ａが設けられ、下側操作部カバー２３には、調理器本体Ｈの横外方に張り出す下側張出部分２３Ａが設けられている。
【００６４】
そして、図１５に示すように、上側張出部分２２Ａを備える上側操作部カバー２２及び下側張出部分２３Ａを備える下側操作部カバー２３が、上述した隙間挿入部材Ｐの前部相当箇所を覆う状態で、調理器本体Ｈの横端部とキッチンキャビネットＣＮの前面開口Ｃ２の横端部との間の隙間を覆うように構成されている。
【００６５】
つまり、図１４に示すように、調理器本体ＨをキッチンキャビネットＣＮに装着する際には、上側操作部カバー２２及び下側操作部カバー２３を調理器本体Ｈから外しておき、調理器本体ＨをキッチンキャビネットＣＮに装着した後に、図１５に示すように、上側操作部カバー２２及び下側操作部カバー２３を調理器本体Ｈに装着することになる。
【００６６】
ちなみに、図１及び図２に示すように、調理器本体Ｈの前面におけるグリルＧの左側に相当する横左側端部分には、上側操作部カバー２２と左右対称の上側左カバー２４と、下側操作部カバー２３と左右対称の下側左カバー２５とが、上下に並ぶ状態で着脱自在に設けられている。
【００６７】
上側左カバー２４及び下側左カバー２５が、調理器本体Ｈの横外方に張り出す形態に形成されて、図１５に示すように、上側左カバー２４及び下側左カバー２５が、上述した隙間挿入部材Ｐの前部相当箇所を覆う状態で、調理器本体Ｈの横端部とキッチンキャビネットＣＮの前面開口Ｃ２の横端部との間の隙間を覆うように構成されている。
【００６８】
つまり、図１４に示すように、調理器本体ＨをキッチンキャビネットＣＮに装着する際には、上側左カバー２４及び下側左カバー２５を調理器本体Ｈから外しておき、調理器本体ＨをキッチンキャビネットＣＮに装着した後に、図１４に示すように、上側左カバー２４及び下側左カバー２５を調理器本体Ｈに装着することになる。
【００６９】
尚、上側左カバー２４の背部箇所には、キッチンキャビネットＣＮの上方箇所に配置した換気装置に起動指令を与えるための赤外線送信部２６が装備されており、上側左カバー２４は、赤外線送信部２６を点検調整する際にも着脱されることになる。
【００７０】
（下側操作部カバーの装着構成）
下側操作部カバー２３が、枢支軸１９にて下端部が支持されて、枢支軸１９を中心とした前後揺動により下方側操作部６Ｓに対して開閉されるように構成されている。
すなわち、図６に示すように、下側操作部カバー２３の下端縁部に、枢支軸１９に外嵌する３個の係合部２３ａが横方向に並べて設けられており、これらの係合部２３ａが枢支軸１９に外嵌することにより、下側操作部カバー２３が、枢支軸１９を中心に前後揺動することにより、開き状態と閉じ状態とに切換えられるように構成されている。
【００７１】
下側操作部カバー２３の下端縁部の係合部２３ａが、一部を開口させたＵ字状に形成されており、下側操作部カバー２３をコンロ前後方向に移動させながら、係合部２３ａを枢支軸１９に対して係脱できるように構成されている。
したがって、下側操作部カバー２３が、開き状態において、係合部２３ａを枢支軸１９に対して係脱することにより、下方側操作部６Ｓに対して着脱できるように構成されている。
【００７２】
下側操作部カバー２３の上方側には、３個の弾性変形自在な３個の舌片２３ｂが、後方側に向けて突出する状態で設けられ、それらの舌片２３ｂが、出退式操作枠１８の前板部１８ｆに形成した係合孔２７に係合自在に構成されている。
そして、開き状態の下側操作部カバー２３を上方側に揺動させるに伴って、舌片２３ｂが、出退式操作枠１８の前板部１８ｆに形成した係合孔２７に係合することによって、下側操作部カバー２３が、閉じ状態に保持されるように構成されている。
【００７３】
尚、閉じ状態の下側操作部カバー２３を開き状態に切換え操作する際には、下側張出部分２３Ａ等を把持して、下側操作部カバー２３を下側に向けて開き操作することにより、舌片２３ｂが、出退式操作枠１８の前板部１８ｆに形成した係合孔２７から外れて、下側操作部カバー２３を開き状態に切換えることができる。
【００７４】
このように、下側操作部カバー２３を開閉操作できるものであるから、電池収納ボックスＢＤに収納した電池を交換する電池交換作業際等においては、下側操作部カバー２３を開き状態にすることになる。
また、下側操作部カバー２３の開き状態において、下側操作部カバー２３の下端縁部の係合部２３ａを枢支軸１９に対して係脱しながら、下側操作部カバー２３を着脱できるものであるから、調理器本体ＨをキッチンキャビネットＣＮに装着する際には、下側操作部カバー２３を外しておき、調理器本体ＨをキッチンキャビネットＣＮに装着した後において、下側操作部カバー２３を、下方側操作部６Ｓを覆う状態に装着できる。
【００７５】
（上側操作部カバーの装着構成）
図８〜図１０に示すように、上方側操作部６Ｕを覆う状態に上側操作部カバー２２を固定する固定手段Ｒが、固定状態と固定解除状態とに切換え自在に設けられている。
そして、固定手段Ｒが、上側操作部カバー２２における調理器本体Ｈの横外方に張り出す上側張出部分２２Ａの背部箇所に位置する操作部Ｓを調理器前方側に移動操作することにより、固定状態から固定解除状態に操作されるように構成されている。
【００７６】
すなわち、固定手段Ｒが、調理器左右方向において上方側操作部６Ｕの調理器内方側端部に設けた内方側係止部３０、及び、調理器左右方向において上方側操作部６Ｕの調理器外方側端部に設けた外方側係止部３１と、上側操作部カバー２２における調理器内方側端部に設けられて、上方側操作部６Ｕの内方側係止部３０に調理器前方側への移動不能に係止される内方側被係止部３２、及び、上側操作部カバー２２における調理器外方側箇所に設けられて、上方側操作部６Ｕの外方側係止部３１に調理器前方側への移動不能に係止される外方側被係止部３３とから構成されている。
【００７７】
内方側被係止部３２が、横断面形状Ｌ字状に形成されて、板状に形成された内方側係止部３０に係止されるように構成されている。
また、内方側係止部３０の上下両側部には、図１２に示すように、内方側被係止部３２が上下移動することを規制する内方側受部３０ａが設けられており、内方側被係止部３２が、内方側係止部３０にて、上下方向への移動不能に係止されるように構成されている。
【００７８】
外方側被係止部３３が、図１０に示すように、内方側被係止部３２を内方側係止部３０に係止させた状態で上側操作部カバー２２を上方側操作部６Ｕに対して接近移動させるに伴って、外方側係止部３１との接当により係止解除状態側に後退移動しかつ外方側係止部の存在箇所を通過すると外方側係止部３１に係止される係止状態に弾性復帰する弾性係止式に構成されている。
そして、操作部Ｓが、外方側係止部に連設されて、外方側被係止部３３を係止解除状態側に操作するように構成されている。
【００７９】
説明を加えると、図１１に示すように、上側操作部カバー２２の本体部２２Ｈが、内方側被係止部３２、外方側被係止部３３、及び、操作部Ｓを備える形態に、合成樹脂にて一体成型されている。
具体的には、操作部Ｓを構成する操作用板部分２２ａが、弾性変形自在な上下一対の脚部２２ｂにて、上側操作部カバー２２の本体部２２Ｈに接続され、外方側被係止部３３が、操作用板部分２２ａにおける上下の脚部２２ｂの間に相当する箇所に設けられている。
【００８０】
つまり、一対の脚部２２ｂ及び操作用板部分２２ａの外周部に、上側操作部カバー２２の本体部２２Ｈと分離するＵ字状の分離用隙間Ｕ１が形成され、且つ、一対の脚部２２ｂの間には、脚部分割用の脚部形成用隙間Ｕ２が形成されている。
【００８１】
そして、一対の脚部２２ｂ及び操作部Ｓを構成しかつ外方側被係止部３３を備える弾性変位部分が、上側操作部カバー２２の本体部２２Ｈに対して、調理器前後方向（本体部２２Ｈの板厚方向）に弾性変位自在に構成されている。
そして、図９及び図１０に示すように、外方側被係止部３３が、調理器前後方向（本体部２２Ｈの板厚方向）の弾性変位により、係止解除状態側に後退移動可能で且つ外方側係止部３１に係止される係止状態に弾性復帰するように構成されている。
【００８２】
外方側被係止部３３が、図９及び図１０に示すように、板状の外方側係止部３１に係止される突部３３ａを備える形状に形成され、外方側係止部３１の外端面３１ｆが、接近移動する外方側被係止部３３の突部３３ａを係止解除状態側に押圧する傾斜面状に形成されている。
したがって、内方側被係止部３２を内方側係止部３０に係止させた状態で上側操作部カバー２２を上方側操作部６Ｕに対して接近移動させるに伴って、外方側被係止部３３を外方側係止部３１との接当により係止解除状態側に後退移動させることを、円滑に行えるように構成されている。
【００８３】
また、外方側係止部３１の上下両側部には、外方側被係止部３３が上下移動することを規制する外方側受部３１ａが設けられており、外方側被係止部３３が、外方側係止部３１にて、上下方向への移動不能に係止されるように構成されている（図１３参照）。
つまり、上側操作部カバー２２は、内方側被係止部３２が、内方側係止部３０にて、上下方向への移動不能に係止され、且つ、外方側被係止部３３が、外方側係止部３１にて、上下方向への移動不能に係止されることにより、上下方向での移動を規制された状態で、上方側操作部６Ｕに装着されることになる。
【００８４】
したがって、上側操作部カバー２２を上方側操作部６Ｕに装着する際には、先ず、内方側被係止部３２を内方側係止部３０に係止させ、次に、上側操作部カバー２２を上方側操作部６Ｕに対して接近移動させて、外方側被係止部３３を外方側係止部３１に係止される手順にて行うことになる。
【００８５】
また、上側操作部カバー２２を上方側操作部６Ｕから離脱する際には、下方側操作部６Ｓを突出位置に切換えた状態で、上側操作部カバー２２の上側張出部分２２Ａの背部箇所に位置する操作部Ｓを調理器前方側に移動操作することにより、外方側被係止部３３を係止解除状態に操作して、固定手段Ｒを固定状態から固定解除状態に操作しながら、上側操作部カバー２２を上方側操作部６Ｕから離脱させる手順にて行うことになる。
【００８６】
このように、上側操作部カバー２２を着脱することができるものであるから、グリルＧの運転開始及び運転停止を指令する照光式の運転スイッチ１７を点検する作業等においては、上側操作部カバー２２を操作部装着枠Ｂの上方側形成部ＢＵから外すことになる。
【００８７】
また、調理器本体ＨをキッチンキャビネットＣＮに装着する際には、上側操作部カバー２２を外しておき、調理器本体ＨをキッチンキャビネットＣＮに装着した後において、上側操作部カバー２２を操作部装着枠Ｂの上方側形成部ＢＵに装着することになる。
【００８８】
〔別実施形態〕
次に、別実施形態を列記する。
（１）上記実施形態においては、調理器本体Ｈの前面部における右側の横端部側部分に、上方側操作部６Ｕと、出退式の下方側操作部６Ｓとが並設される場合を例示したが、調理器本体Ｈの前面部における左右両側に、上方側操作部６Ｕと下方側操作部６Ｓとが並設される場合にも、本発明は適用できるものである。
【００８９】
つまり、例えば、調理器本体Ｈの前面部における右側の横端部側部分に、グリルＧに対する操作部を設けるようにし、調理器本体Ｈの前面部における左側の横端部側部分に、コンロバーナ１に対する操作部を設けるようにする場合において、調理器本体Ｈの前面部における左右両側に、上方側操作部６Ｕと下方側操作部６Ｓとを並設させるようにしてもよい。
【００９０】
（２）上記実施形態においては、出退式の下方側操作部６Ｓが、下端部を支点にした前後揺動により、引退位置と突出位置とに切換えられる場合を例示したが、例えば、下方側操作部６Ｓを前後方向にスライド移動自在に支持して、そのスライド移動によって、引退位置と突出位置とに切換えるようにする等、下方側操作部６Ｓを引退位置と突出位置とに切換える形態は各種変更できる。
【００９１】
（３）上記実施形態では、調理器本体Ｈに装着される操作部装着枠Ｂを備えさせて、下方側操作部６Ｓを構成する出退式操作枠１８が、操作部装着枠Ｂに組付けられる場合を例示したが、出退式操作枠１８を、調理器本体Ｈを形成するケーシングに直接装着する形態で実施してもよい。
【００９２】
（４）上記実施形態では、加熱調理器として、加熱手段としてコンロバーナ１やグリルバーナを備えるガスコンロＧＣを例示したが、加熱手段として電磁誘導加熱部を備えた電磁調理器にも本発明は適用できるものである。
【００９３】
（５）上記実施形態では、グリルＧに装備する調理容器Ｋとして、グリル皿９を調理容器支持部Ｌに支持する場合を例示したが、調理容器Ｋとしては、蓋部を備えた炊飯用の容器等、グリル庫７の内部に収納して加熱調理するための種々の調理容器を適用できる。
【００９４】
（６）上記実施形態では、固定手段Ｒが、操作部Ｓにて、固定状態から固定解除状態に切換え操作される場合を例示したが、固定手段Ｒを、操作部Ｓにて、固定状態から固定解除状態への操作及び固定解除状態から固定状態への操作を行う形態に構成してもよい。
【００９５】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００９６】
６Ｕ    上方側操作部
６Ｓ    下方側操作部
２２    上側操作部カバー
２２ａ  操作用板部分
２２ｂ  脚部
２３    下側操作部カバー
３０    内方側係止部
３１    外方側係止部
３２    内方側被係止部
３３    外方側被係止部
ＣＮ    キッチンキャビネット
Ｃ１    上方開口部
Ｃ２    前面開口
Ｈ      調理器本体
Ｒ      固定手段
Ｓ      操作部
【図１】
0006370159.tif 000002
【図２】
0006370159.tif 000003
【図３】
0006370159.tif 000004
【図４】
0006370159.tif 000005
【図５】
0006370159.tif 000006
【図６】
0006370159.tif 000007
【図７】
0006370159.tif 000008
【図８】
0006370159.tif 000009
【図９】
0006370159.tif 000010
【図１０】
0006370159.tif 000011
【図１１】
0006370159.tif 000012
【図１２】
0006370159.tif 000013
【図１３】
0006370159.tif 000014
【図１４】
0006370159.tif 000015
【図１５】
0006370159.tif 000016